(57)【特許請求の範囲】
【請求項１】
前面及び背面を開口したショーケース本体と、ショーケース本体内を上室及び下室に仕切る仕切パネルと、この仕切パネルの前方及び後方に設けられショーケース本体の前面開口及び背面開口を上下に仕切る仕切枠と、ショーケース本体の前面及び背面の上下開口をそれぞれ開閉する複数の引戸と、各引戸の上下にそれぞれ設けられ各引戸を左右方向に案内する複数のレール部とを備え、上室内及び下室内に上下に並設された複数の商品陳列棚を有するショーケースにおいて、
前記仕切パネルを、前下がりに傾斜し、且つ、その前部及び後部が上レール部、仕切枠及び下レール部により隠蔽されるように配置し、
前記上室内及び下室内の各商品陳列棚を前下がりに傾斜して配置した
ことを特徴とするショーケース。
【請求項２】
前記仕切パネルの傾斜を調整可能な傾斜調整手段を設けた
ことを特徴とする請求項１記載のショーケース。
【発明の詳細な説明】
【０００１】
【発明の属する技術分野】
本発明は、駅販売店、コンビニエンスストア等に設置されるショーケースに関するものである。
【０００２】
【従来の技術】
従来、この種のショーケースとして、前面及び背面を開口したショーケース本体と、ショーケース本体内を上下２室に仕切る仕切パネルと、上室内を加温する加温装置と、下室内を冷却する冷却装置とを備え、上室を加温商品を収容する温蔵室とするとともに、下室を冷却商品を収容する冷蔵室としたものが一般的である。また、仕切パネルの前方及び後方にはショーケース本体の前面開口及び背面開口を上下に仕切る仕切枠が設けられるとともに、ショーケース本体の前面及び背面には上下開口をそれぞれ開閉する複数の引戸が設けられる。各引戸はショーケース本体内を透視可能な透明板を有し、ショーケース本体背面に設けられた各引戸は商品を補充する際に開閉され、ショーケース本体前面に設けられた各引戸は商品を購入する際に開閉される。また、各引戸の上下には左右方向に延び、各引戸を案内するレール部が設けられ、販売者並びに購買者は引戸の開閉を容易に行うことができるようになっている。
【０００３】
冷蔵室は温蔵室に比して上下方向に大きく形成され、温蔵室内及び冷蔵室内には複数の商品陳列棚が上下に並設される。冷蔵室内の各商品陳列棚は前下がりに傾斜して設けられ、販売者が背面側より冷却商品を商品陳列棚に補充すると、冷却商品がその自重により前面側へ移動し、順次に前面側から自動的に陳列されるようになっている。また、購買者により冷却商品が取り出されると、背面側の冷却商品が前面側に自動的に移動する。
【０００４】
【発明が解決しようとする課題】
しかしながら、前記ショーケースでは、温蔵室内の各商品陳列棚を傾斜して配置するには、各商品陳列棚、商品等がショーケース本体、仕切パネル等と干渉しないよう、温蔵室を上下方向に大きく形成する必要がある。これにより、ショーケースが上下方向に大型となるばかりか、各商品陳列棚を略水平に配置するショーケースとショーケース本体、引戸等の各部品を共用とすることができず、製造コストが嵩むという問題点があった。
【０００５】
本発明は前記事情に鑑みてなされたものであり、その目的とするところは、上下寸法を大きくすることなく、温蔵室内の商品陳列棚を前下がりに傾斜して配置することができるショーケースを提供することにある。
【０００６】
【課題を解決するための手段】
本発明は前記目的を達成するために、請求項１では、前面及び背面を開口したショーケース本体と、ショーケース本体内を上室及び下室に仕切る仕切パネルと、この仕切パネルの前方及び後方に設けられショーケース本体の前面開口及び背面開口を上下に仕切る仕切枠と、ショーケース本体の前面及び背面の上下開口をそれぞれ開閉する複数の引戸と、各引戸の上下にそれぞれ設けられ各引戸を左右方向に案内する複数のレール部とを備え、上室内及び下室内に上下に並設された複数の商品陳列棚を有するショーケースにおいて、前記仕切パネルを、前下がりに傾斜し、且つ、その前部及び後部が上レール部、仕切枠及び下レール部により隠蔽されるように配置し、前記上室内及び下室内の各商品陳列棚を前下がりに傾斜して配置している。
【０００７】
これにより、販売者等が上室または下室の商品陳列棚に背面側より商品を補充すると、商品はその自重により前面側へ移動し、順次に前面側から自動的に陳列される。また、購買者等により商品が取り出されると、背面側の商品が前面側に自動的に移動する。
【０００８】
また、仕切パネルが前下がりに傾斜しているので、上室内の前下がりに傾斜した各商品陳列棚及び陳列商品が、ショーケース本体、仕切パネル等と干渉することはない。また、仕切パネルの前部及び後部が各レール部及び仕切枠により隠蔽されるため、ショーケース外部から仕切パネルが各引戸を通じて購買者等に視認されることもない。
【０００９】
また、請求項２では、請求項１記載のショーケースにおいて、前記仕切パネルの傾斜を調整可能な傾斜調整手段を設けている。
【００１０】
これにより、請求項１の作用に加え、各商品陳列棚に陳列される販売商品等に応じて各商品陳列棚の傾斜は変更される。
【００１１】
【発明の実施の形態】
図１乃至図３は本発明のショーケースの一実施形態を示すもので、図１はショーケースの概略外観斜視図、図２はショーケースの概略側面断面図、図３はショーケースの部分側面断面図である。
【００１２】
このショーケースは、図１及び図２に示すように、前面及び背面を開口し下部に機械室を有する箱形のショーケース本体１と、ショーケース本体１内を上室及び下室に仕切る仕切パネル２とを備え、上室は商品を加温する温蔵室３、下室は商品を冷却する冷蔵室４をなしている。温蔵室３には温蔵室用の商品陳列棚５が、冷蔵室４には冷蔵室用の商品陳列棚６が上下にそれぞれ並設されている。また、仕切パネル２の前方及び後方には、ショーケース本体１の前面開口及び背面開口を上下に仕切る仕切枠７が設けられる。さらに、ショーケース本体１の前面及び背面の仕切枠７によって仕切られた上下開口にはそれぞれ引戸８が設けられ、この引戸８により各開口はそれぞれ開閉される。各引戸８の上下には左右に延びる上レール部９及び下レール部１０が設けられ、各引戸８を左右方向に案内している。
【００１３】
仕切パネル２は前後に延びて形成されるとともに、その前端及び後端にパッキン２ａを有し、各パッキン２ａと各仕切枠７とが接触することにより、温蔵室３及び冷蔵室４の気密が保たれる。また、仕切パネル２は左右両端側における前側及び後側の下部にそれぞれ固定部２ｂを有し、この固定部２ｂに設けられた固定孔２ｃを挿通する固定ねじ１１により、ショーケース本体１側に固定される。仕切パネル２は前下がりに傾斜して配置され、その前部下端が下側の引戸８の上レール部９下端より高く、且つ、その後部上端が上側の引戸８の下レール部１０より低くなっている。
【００１４】
温蔵室３内の各商品陳列棚５及び冷蔵室４内の各商品陳列棚６は前下がりに傾斜して配置される。温蔵室３内の各商品陳列棚５は加温プレートを有し、この加温プレートにより商品は加温される。また、冷蔵室４内は図示しない蒸発器からの冷気が循環し、これにより各商品陳列棚６の商品は冷却される。本実施形態においては、温蔵室３に２つの商品陳列棚５が、冷蔵室４に４つの商品陳列棚６がそれぞれ備えられ、温蔵室３は冷蔵室４に比して上下方向寸法が小さく形成されている。
【００１５】
各引戸８はそれぞれ左右一対で前後方向に互い違いに設けられ、各引戸８の一方で左右一方を覆うとともに他方で左右他方を覆い、ショーケース本体１内の気密を保つようになっている。また、各引戸８は略方形状で外縁部を除いて透明板により形成され、外部より各引戸８を通じてショーケース本体１内が視認可能となっている。各引戸８は左右方向に移動自在で、ショーケース本体１内の商品が販売される際には、前側の各引戸８を移動してショーケース本体１内の商品が取り出される。また、ショーケース本体１内に商品を補充する際には、後側の各引戸８を移動してショーケース本体１内へ商品が補充される。
【００１６】
各上レール部９は、上方に凹んで左右方向に延びる前後に並んだ２つのレール溝を有している。即ち、各レール溝に各販売引戸８の上部が受容され、各販売引戸８は各レール溝により左右方向へ案内される、
各下レール部１０は、各引戸８に設けられた車輪と、ショーケース本体１側に設けられ各車輪を案内するレールとから構成される。即ち、各下レールの上端面と各車輪の外周面とが係合し、各車輪が転がることにより、各引戸８は左右方向へ移動するようになっている。
【００１７】
以上のように構成されたショーケースにおいては、販売者により背面側から各商品陳列棚５，６に商品が補充されると、補充された商品はその自重により各商品陳列棚５，６の前面側へ移動し、順次に前面側から自動的に陳列される。また、購買者等により前面側から商品が取り出されると、背面側の商品が前面側に自動的に移動する。このとき、仕切パネル２及び各商品陳列棚５，６が前下がりに傾斜して配置されているので、商品はショーケース本体１、仕切パネル２等と干渉することなく、各室３，４に収納される。
【００１８】
このように、本実施形態のショーケースによれば、仕切パネル２を前下がりに傾斜して配置し、各商品陳列棚５，６及び商品がショーケース本体１、仕切パネル２等と干渉することがないようにしたので、ショーケースの上下寸法が大きくなることはない。従って、各商品陳列棚５，６を略水平に配置したショーケースとショーケース本体、引戸等を共用とすることができ、製造コストが嵩むこともない。
【００１９】
また、仕切パネル２の前部及び後部が各レール部９，１０及び仕切枠７により隠蔽され、ショーケース外部から仕切パネル２が各引戸８を通じて購買者に視認されることがないので、ショーケースの外観を損なうことはない。
【００２０】
尚、前記実施形態においては、仕切パネル２の傾斜角度は一定であるものを示したが、図４に示すように、ショーケース本体１側に上下に延びる長孔２０を設け、固定部２ｂに設けられたピン２１をこの長孔２０に挿通するとともに長孔２０内の任意の位置で固定するよう構成し、仕切パネル２の傾斜角度を調整可能としてもよい。さらに、図５に示すように、長孔２０に前後方向に延びる複数の係止孔２２を連設し、ピン２１の高さを多段階で変更するようにしてもよい。これらの場合、仕切パネル２の傾斜角度を、各室３，４の収納商品に応じた適切な角度に調整することができる。
【００２１】
【発明の効果】
以上説明したように、請求項１記載のショーケースによれば、各商品陳列棚がショーケース本体、仕切パネル等と干渉することがないようにしたので、ショーケースの上下寸法が大きくなることはない。従って、各商品陳列棚を略水平に配置したショーケースとショーケース本体、引戸等を共用とすることができ、製造コストが嵩むこともない。また、ショーケース外部から仕切パネルが各引戸を通じて購買者に視認されることがないので、ショーケースの外観を損なうことはない。
【００２２】
また、請求項２記載のショーケースによれば、請求項１の効果に加え、仕切パネルの傾斜角度を、各室の収納商品に応じた適切な角度に調整することができ、実用に際して極めて有利である。
【図面の簡単な説明】
【図１】本発明の一実施形態を示すショーケースの概略外観斜視図
【図２】ショーケースの概略側面断面図
【図３】ショーケースの部分側面断面図
【図４】傾斜調整機構の一例を示す動作説明図
【図５】傾斜調整機構の一例を示す動作説明図
【符号の説明】
１…ショーケース本体、２…仕切パネル、３…温蔵室、４…冷蔵室、５…商品陳列棚、６…商品陳列棚、７…仕切枠、８…引戸、９…上レール部、１０…下レール部、２０…長孔、２１…ピン、２２…係止孔。
【図１】
0003653230.tif 000002
【図２】
0003653230.tif 000003
【図３】
0003653230.tif 000004
【図４】
0003653230.tif 000005
【図５】
0003653230.tif 000006